(57)【要約】【課題】コンクリート函体の牽引による地下構造物の施工法におけるものとして、薬液注入のための導坑を別途格別に構築せずに簡単に薬液注入による地盤改良が行え、切羽の崩壊を確実に防止できる地下構造物の施工法を得る。【解決手段】コンクリート函体の牽引による地下構造物の施工法において、コンクリート函体１の前進方向に牽引部材が挿入されるガイド導坑１３を築造するとともに、パイプルーフ１２を施工し、前記ガイド導坑１３からパイプルーフ１２の内側に薬液を注入して地盤改良する。【選択図】      図１
2005120622.tif 000002
【特許請求の範囲】
【請求項１】
コンクリート函体の牽引による地下構造物の施工法において、コンクリート函体の前進方向に牽引部材が挿入されるガイド導坑を築造するとともに、パイプルーフを施行し、前記ガイド導坑からパイプルーフの内側に薬液を注入して地盤改良することを特徴とした地下構造物の施工法。
【請求項２】
前記ガイド導坑は鋼管で構成することを特徴とする地下構造物の施工法。
【発明の詳細な説明】
【技術分野】
【０００１】
この発明は、フロンテジャッキング工法などのコンクリート函体を牽引により地中に前進させて所定位置に埋設する地下構造物の施工法に関するものである。
【背景技術】
【０００２】
例えば、営業中の線路下、生活・産業の連絡網となる道路下、また、河川・移設不可能な構築物等の下に、地下道や共同溝、水路等を構築する場合、上面の鉄道や道路交通、河川に影響を与えることはできない。このため、かかる場所に地下構造物を構築するには、通常の運行を確保しながら立体交差工事を施工する工法として、シールド工法が採用される。
【０００３】
フロンテジャッキング工法は、その一例で、例えば地下道となる地下構造物を構築する場合、地中に埋設しようとする図６に示すようなプレキャストされたコンクリート函体１を前方より引っ張って直接挿入し所定の位置に引き込み埋設する工法で、前方に反力壁（アンカー）を設置し、ＰＣ鋼線によりフロンテジャッキを使用しコンクリート函体１を牽引挿入するもので、図５について基本的な行程を説明する。
【０００４】
まず、第１行程は水平ボーリング工であり、図５（ａ）に示すように、水平ボーリング専用機２を使用し、発進立坑３より到達立坑４に向かい、ケーシング５で削孔を行う。
【０００５】
第２行程として図５（ｂ）に示すように、貫通されたボーリング孔内にＰＣ鋼線６を挿入し、ケーシング５を抜き取る。また、刃口７の定着を行う。
【０００６】
第３行程は、図５（ｃ）に示すように、まず、牽引準備工として発進立坑３内にシールド発進台を、到達立坑４内には牽引ジャッキ架台および反力設備（反力壁８）を各々築造し、ジャッキ架台上にはフロンテジャッキ９を所定の位置にセットする。ＰＣ鋼線６とフロンテジャッキ９およびシールド機の定着を行う。そして、牽引工として、ＰＣ鋼線６にコンクリート函体１を緊結し、到達立坑４に設置したフロンテジャッキ９によりＰＣ鋼線６を介して地中に引き込み貫通させる。図中１０は止水ボックスを示す。
【０００７】
図５（ｄ）は牽引工完成状態を示し、フロンテジャッキ９などの牽引設備を撤去し、刃口内処理工を施工した。
【０００８】
このようなフロンテジャッキング工法などのシールド工法では、自立性の低い、例えば未固結の軟弱地盤においてトンネルを構築する場合は、トンネル掘削に先行してトンネル断面ならびにその周辺部の地盤を薬液注入により固結し、トンネル掘削時に本坑や切羽が崩壊しないようにすることがある。
【０００９】
この薬液注入の方法として、例えば、構築しようとするトンネルの下方近傍に、トンネルと平行に長さ方向に導坑を掘削形成し、この導坑をトンネル掘削時の地盤改良を行うに際しての作業坑として利用し、この導坑内からトンネル掘削部およびその周辺の地盤改良を行うものがある（例えば特許文献１参照）。
【特許文献１】特開平０７−０８２７３５号公報
【発明の開示】
【発明が解決しようとする課題】
【００１０】
前記特開平０７−０８２７３５号公報に記載の地盤改良方法は、薬液注入のための作業坑として導坑を別途構築するものであり、施工性がよくない。
【００１１】
この発明の目的は前記従来例の不都合を解消し、コンクリート函体の牽引による地下構造物の施工法におけるものとして、薬液注入のための導坑を別途格別に構築せずに簡単に薬液注入による地盤改良が行え、切羽の崩壊を確実に防止できる地下構造物の施工法を提供することにある。
【課題を解決するための手段】
【００１２】
請求項１記載の発明は、コンクリート函体の牽引による地下構造物の施工法において、コンクリート函体の前進方向に牽引部材が挿入されるガイド導坑を築造するとともに、パイプルーフを施行し、前記ガイド導坑からパイプルーフの内側に薬液を注入して地盤改良することを要旨とするものである。
【００１３】
請求項１記載の本発明によれば、ガイド導坑を利用して薬液注入が行えるから、薬液注入のための導坑を別途格別に埋設する必要がなく、施工性がよい。また、パイプルーフの内側の部分を地盤改良することで、パイプルーフとの相乗効果でより確実に切羽の崩壊を防ぐことができる。
【００１４】
請求項２記載の発明は、前記ガイド導坑を鋼管で構成することを要旨とするものである。
【００１５】
請求項２記載の本発明によれば、鋼管を埋設するだけの作業でガイド導坑を築造できるから施工性がよい。
【発明の効果】
【００１６】
以上述べたようにこの発明の地下構造物の施工法は、コンクリート函体の牽引によるトンネルなどの地下構造物の施工法におけるものとして、牽引部材が挿入されるガイド導坑を利用してここから薬物注入を行うようにしたから、薬物注入のための導坑を別途格別に構築せずに簡単に地盤改良が行え、さらに、パイプルーフとの相乗効果で切羽の崩壊を確実に防止できる。
【発明を実施するための最良の形態】
【００１７】
以下、図面についてこの発明の実施の形態を詳細に説明する。図１はこの発明の地下構造物の施工法の実施の形態を示す縦断側面図で、フロンテジャッキング工法に実施する場合で、図５に示したフロンテジャッキング工法の行程図と同一の構成要素には同一の参照符号を付してある。
【００１８】
図示の例は発進立坑３と到達立坑４の両方からコンクリート函体１を前進させる相互牽引工法であり、上部の鉄道１１の下方に防護工としてパイプルーフ１２を施工し、発進立坑３と到達立坑４の両方にコンクリート函体１をセットし、発進立坑３の側のコンクリート函体１にフロンテジャッキ９を取り付け、到達立坑４側に設置したコンクリート函体１を反力体として発進立坑３の側のコンクリート函体１をフロンテジャッキ９で牽引し前進させる。
【００１９】
この発明では、かかる相互牽引方式のフロンテジャッキング工法において、上部の水平ボーリング孔の穿孔とともに、ガイド導坑１３を下部に築造し、このガイド導坑１３の内部にＰＣ鋼線６を集中挿入する。これにより、水平ボーリング孔の穿孔数を減らすことができる。
【００２０】
このガイド導坑１３の形状は、種々のタイプがあるが、この発明では図２、図３に示すように、鋼管１９またはヒューム管を使用する。この鋼管１９の埋設方法は、例えば、推進シリンダを有する推進装置と先端にカッターヘッドを有する先導管を使用し、発進立坑３の側にこの推進装置と先導管をセットし、先導管内に配設した油圧駆動モータで先端のカッタを回転させて切羽前面を掘削して推進を開始し、次いで、推進装置の推進ジャッキを後退させてスクリューを内蔵させた埋設管である鋼管１９を先導管に接続する。掘削排土はカッタを回転させるモータとは別の専用のモータで掘削量に応じて排土量を制御する。
【００２１】
かかる動作を繰り返して鋼管１９を順次接続し推進させて埋設し、先導管を到達立坑４に到達させ、先導管のみを到達立坑４から回収する。このようにして、鋼管１９を発進立坑３と到達立坑４との間に埋設する。
【００２２】
かかるガイド導坑１３は、図２に示すように例えば、コンクリート函体１の底部支持箇所に対応する箇所で左右２箇所に設けた。
【００２３】
鋼管１９によるガイド導坑１３の構築時に、このガイド導坑１３を作業坑として、ここからパイプルーフ１２の内側に薬液を注入して地盤改良する。図４は、斜め上方への薬液注入の行程図で、第１行程として図４（ａ）に示すように注入設備１４を鋼管１９内に設置し、薬液注入部分を削孔して注入管１５を斜め上方に配設されているパイプルーフ１２の方向に向けて設置する。
【００２４】
次いで、図４（ｂ）のように瞬結性グラウト剤１６を注入して注入管１５の周囲をシールしてから、図４（ｃ）に示すように瞬結性グラウト剤１６を注入管１５の先端から吐出して荒詰め注入する。
【００２５】
その後、瞬結性グラウト剤１６を注入した部分に、図４（ｄ）に示すように浸透性グラウト剤１７を注入して浸透させ、これにより図４（ｅ）の注入作業終了となる。以上のようにして、ガイド導坑１３の箇所から図３に示すようにパイプルーフ１２の内側の各部に薬液を注入して地盤改良する。
【００２６】
このようにして地盤改良されたならば、例えばフロンテジャッキング工法によってコンクリート函体１を牽引する。この場合、基本行程は前記従来例と同様であるが、コンクリート函体１をフロンテジャッキ９で牽引する行程において、鋼管１９によるガイド導坑１３内に挿入してあるＰＣ鋼線６で発進立坑３側のコンクリート函体１を牽引する。これにより、コンクリート函体１はガイド導坑１３をガイドとして前進するから、前進時の方向性がよく施工精度が向上する。
【００２７】
なお、導坑形式はアーチ型トンネルとすることも可能であり、これは掘削しながら支保工であるＨ形鋼またはライナープレートの建て込みによって土留めを行う方式である。
【図面の簡単な説明】
【００２８】
【図１】本発明の地下構造物の施工法の実施形態を示す縦断側面図である。
【図２】本発明の地下構造物の施工法の実施形態を示す側面図である。
【図３】本発明の地下構造物の施工法の実施形態を示す正面図である。
【図４】本発明の地下構造物の施工法の実施形態を示す薬液注入行程の説明図である。
【図５】フロンテジャッキング工法の説明図である。
【図６】コンクリート函体の正面図である。
【符号の説明】
【００２９】
１…コンクリート函体            ２…水平ボーリング専用機
３…発進立坑                    ４…到達立坑
５…ケーシング                  ６…ＰＣ鋼線
７…刃口                        ８…反力壁
９…フロンテジャッキ            １０…止水ボックス
１１…鉄道                      １２…パイプルーフ
１３…ガイド導坑                １４…注入設備
１５…注入管                    １６…瞬結性グラウト剤
１７…浸透性グラウト剤          １９…鋼管
【図１】
2005120622.tif 000003
【図２】
2005120622.tif 000004
【図３】
2005120622.tif 000005
【図４】
2005120622.tif 000006
【図５】
2005120622.tif 000007
【図６】
2005120622.tif 000008